(57)【特許請求の範囲】
【請求項１】
正面開口部を有する庫本体における正面開口部の左右の各側縁部に基端部を前後方向へ回動可能に組付けられて同庫本体の正面開口部を開閉する左右一対の開閉扉を備え、前記各開閉扉の背面における基端側縁部および上下各端縁部にマグネット付きの側縁側ドアパッキン、マグネット付きの上端側ドアパッキン、およびマグネット付きの下端側ドアパッキンを備えるとともに、前記各開閉扉の互いに対向する先端部に互いに対向するマグネット付きの先端側ドアパッキンを備え、前記両開閉扉の閉鎖時、前記側縁側ドアパッキン、上端側ドアパッキンおよび下端側ドアパッキンを前記庫本体の正面開口部の周縁部に密着させ、かつ、前記両先端側ドアパッキンを互いに密着させて、前記両開閉扉の背面と前記庫本体の正面開口部の周縁部間、および、前記両開閉扉の先端部間を気密的にシールする観音開き式の貯蔵庫において、前記上端側ドアパッキンおよび下端側ドアパッキンの磁力を前記側縁側ドアパッキンおよび前記先端側ドアパッキンの磁力に比較して相対的に強く設定したことを特徴とする観音開き式の貯蔵庫。
【請求項２】
前記庫本体が冷蔵庫に構成されていることを特徴とする請求項１に記載の観音開き式の貯蔵庫。
【発明の詳細な説明】
【０００１】
【発明の属する技術分野】
本発明は、観音開き式の冷蔵庫、冷凍庫、温蔵庫等各種の貯蔵庫に関する。
【０００２】
【従来の技術】
貯蔵庫は、その一例である観音開き式冷蔵庫として、例えば特開昭５８−１５３０７２号公報に示されているように、正面開口部を有する庫本体と、同庫本体の正面開口部の各側縁部に基端部を前後方向へ回動可能に組付けられて同庫本体の正面開口部を開閉する左右一対の開閉扉を備え、前記両開閉扉の閉鎖時、前記各開閉扉の背面側周縁部を庫本体の正面開口部の周縁部に当接させて、両開閉扉の背面と庫本体の正面開口部の周縁部間をシールする構成となっている。
【０００３】
かかる形式の貯蔵庫においては、両開閉扉の背面と庫本体の正面開口部の周縁部間におけるシール部の気密性を確保するために、各開閉扉の背面の基端側縁部、上端縁部、および下端縁部にそれぞれマグネット付きの側縁側ドアパッキン、上端側ドアパッキン、および下端側ドアパッキンを設け、また、両開閉扉の互いに対向する先端部間の気密性を確保するために、両開閉扉の互いに対向する先端部にマグネット付きの先端側ドアパッキンを設けて、両開閉扉の閉鎖時、各ドアパッキンを庫本体の正面開口部の周縁部に密着させて、両開閉扉の背面と庫本体の正面開口部の周縁部間を気密的にシールするとともに、両開閉扉の先端側ドアパッキンを互いに気密的にシールするように構成されている。
【０００４】
【発明が解決しようとする課題】
かかる形式の貯蔵庫においては、両開閉扉の閉鎖時には、開閉扉が円滑に回動して、その背面側のドアパッキンを基端部側から庫本体の周縁部に漸次当接して密着するようにすることが必要であり、かつ、両開閉扉の先端側ドアパッキン同士が互いの対向面にて的確に当接して密着することが必要である。これにより、両開閉扉の閉鎖時における庫本体の正面開口部の的確な密閉状態が確保される。
【０００５】
従って、本発明の目的は、上記した片開き式貯蔵庫、および観音開き式貯蔵庫におけるこのような要求に対処することにある。
【０００６】
【課題を解決するための手段】
本発明は貯蔵庫に関し、特に、正面開口部を有する庫本体における正面開口部の左右の各側縁部に基端部を前後方向へ回動可能に組付けられて同庫本体の正面開口部を開閉する左右一対の開閉扉を備え、前記各開閉扉の背面における基端側縁部および上下各端縁部にマグネット付きの側縁側ドアパッキン、マグネット付きの上端側ドアパッキン、およびマグネット付きの下端側ドアパッキンを備えるとともに、前記各開閉扉の互いに対向する先端部に互いに対向するマグネット付きの先端側ドアパッキンを備え、前記両開閉扉の閉鎖時、前記側縁側ドアパッキン、上端側ドアパッキンおよび下端側ドアパッキンを前記庫本体の正面開口部の周縁部に密着させ、かつ、前記両先端側ドアパッキンを互いに密着させて、前記両開閉扉の背面と前記庫本体の正面開口部の周縁部間、および、前記両開閉扉の先端部間を気密的にシールする形式の観音開き式の貯蔵庫を適用対象とするものである。
【０００７】
しかして、本発明は上記した形式の観音開き式の貯蔵庫において、前記上端側ドアパッキンおよび下端側ドアパッキンの磁力を前記側縁側ドアパッキンおよび前記先端側ドアパッキンの磁力に比較して相対的に強く設定したことを特徴とするものである。
【０００８】
本発明に係る貯蔵庫は、冷蔵庫として構成することが好ましい。
【０００９】
【発明の作用・効果】
このように構成した貯蔵庫においては、両開閉扉の閉鎖時には、両開閉扉の各ドアパッキンにおいては、開閉扉の基端側の側縁側ドアパッキンが先に庫本体の正面開口部の周縁部に当接し、その後、上端側ドアパッキンおよび下端側ドアパッキンがその基端部側から庫本体の正面開口部の周縁部に漸次当接して、開閉扉の閉鎖完了時には、これらのドアパッキンの全てが庫本体の正面開口部の周縁部に密着するとともに、両開閉扉の先端側ドアパッキンが互いの対向面にて当接して密着する。
【００１０】
この場合、側縁側ドアパッキンの磁力は上端側ドアパッキンおよび下端側ドアパッキンの磁力に比較して相対的に弱く設定されているため、側縁側ドアパッキンは、上端側ドアパッキンおよび下端側ドアパッキンが庫本体の正面開口部の周縁部に当接する際には、弱い吸引力で庫本体の正面開口部の周縁部に正常な形態を保持して当接して噛み込むようなことがなく、開閉扉の円滑な回動動作を維持する。
【００１１】
また、その後の開閉扉の回動（閉鎖）操作により上端側ドアパッキンおよび下端側ドアパッキンがその基端部側から庫本体の正面開口部の周縁部に漸次当接するが、上端側ドアパッキンおよび下端側ドアパッキンは、その磁力が側縁側ドアパッキンの磁力に比較して相対的に強く設定されているため、庫本体の正面開口部の周縁部に正常な形態で漸次当接して密着し、開閉扉は円滑に閉鎖されて密閉される。
【００１２】
両開閉扉が閉鎖される際には、両開閉扉の先端側ドアパッキンは、それらの対向面を互いに密着させて両開閉扉の先端部間を気密的にシールするが、この場合には、上端側ドアパッキンおよび下端側ドアパッキンの強い吸引力が両先端側ドアパッキンの当接を助成して密着状態を形成し、両開閉扉の先端部間のシール部の気密性を、センタピラー等の支持部材を介することなく、確実なものとすることができる。
【００１３】
【発明の実施の形態】
以下、本発明を図面に基づいて説明すると、図１には本発明に係る観音開き式貯蔵の一例である観音開き式冷蔵庫の一例が示されている。冷蔵庫は、図１〜図３に示すように、正面開口部１１を有する庫本体１０と、庫本体１０の正面開口部１１の各側縁部に基端部を前後方向へ回動可能に組付けられて庫本体１０の正面開口部１１を開閉する上側の左右一対の開閉扉２０ａ、２０ｂと、下側の左右一対の開閉扉２０ｃ，２０ｄを備え、これらの４枚の開閉扉２０ａ〜２０ｄの開閉操作により、庫本体１０の正面開口部１１を開放し、かつ閉鎖し得るように構成されている。
【００１４】
上側の各開閉扉２０ａ，２０ｂは互に左右対称に、下側の各開閉扉２０ｃ，２０ｄは互に左右対称に、かつ、左側の各開閉扉２０ａ、２０ｃは互に上下対称に、右側の各開閉扉２０ｂ，２０ｄは互に上下対称に形成されている点を除き、全て同一構造に構成されている。従って、以下では、各開閉扉２０ａ〜２０ｄの構成については主として開閉扉２０ａに基づいて説明し、各開閉扉２０ａ〜２０ｄ相互の関係については必要により説明するに止める。
【００１５】
開閉扉２０ａは、図２および図３に示すように、扉本体２１の背面における周縁部に第１のドアパッキン２２が配設されているとともに、扉本体２１の背面における先端部側に第２のドアパッキン２３が配設されている。第１，第２のドアパッキン２２，２３は共に、ゴム製のパッキン本体にマグネットを内蔵させたのものである。
【００１６】
第１のドアパッキン２２はコ字状を呈しているもので、扉本体２１の背面にてその基端部側に位置する側縁側ドアパッキン２２ａと、上端側ドアパッキン２２ｂと、下端側ドアパッキン２２ｃにて構成されている。第２のドアパッキン２３は、上下方向に延びる直線状のもので、支持部材２４に支持された状態で配設されて、扉本体２１の背面における先端部側に位置して、第１のドアパッキン２２の上端側ドアパッキン２２ｂと、下端側ドアパッキン２２ｃの各端部に達している。
【００１７】
これにより、開閉扉２０ａの閉鎖時には、第１のドアパッキン２２は庫本体１０の正面開口部１１の周縁部に当接する。同様に、開閉扉２０ｂの閉鎖時には、第１のドアパッキン２２は庫本体１０の正面開口部１１の周縁部に当接するとともに、第２のドアパッキン２３が開閉扉２０ａの第２のドアパッキン２３と密着して、両開閉扉２０ａ，２０ｂ間をシールする。下側の左右の開閉扉２０ｃ，２０ｄにおいても同様に閉鎖され、庫本体１０の正面開口部１１が密閉状態に閉鎖される。
【００１８】
しかして、第１のドアパッキン２２においては、上端側ドアパッキン２２ｂおよび下端側ドアパッキン２２ｃの磁力を側縁側ドアパッキン２２ａの磁力に比較して相対的に強く設定されていて、庫本体１０の正面開口部１１の周縁部に対する吸着力が側縁側ドアパッキン２２ａでは弱く、上端側ドアパッキン２２ｂおよび下端側ドアパッキン２２ｃが強く構成されている。
【００１９】
一方、第２のドアパッキン２３においては、第１のドアパッキン２２を構成する側縁側ドアパッキン２２ａの磁力と同等に設定されていて、図４に示すように、支持部材２４に支持されていて、支持部材２４を介して開閉扉２０ａ，２０ｂに取付けられている。第２のドアパッキン２３は、支持部材２４の先端側に組付けられた状態で、開閉扉２０ａ，２０ｂの先端側に突出していて、両開閉扉２０ａ，２０ｂの閉鎖時には、互いに当接して密着するようになっている。下側の両開閉扉２０ｃ，２０ｄにおいても、第２のドアパッキン２３が同様の組付け状態で組付けられている。
【００２０】
このように構成した観音開き式冷蔵庫においては、全ての開閉扉２０ａ〜２０ｄを閉鎖した状態では、図２〜図４に示すように、各開閉扉２０ａ〜２０ｄの背面に設けた第１のドアパッキン２２が庫本体１０の正面開口部１１の周縁部に密着するとともに、上側の両開閉扉２０ａ，２０ｂに設けた第２のドアパッキン２３同士、および下側の両開閉扉２０ｃ，２０ｄに設けた第２のドアパッキン２３同士がその先端部の対向面にて密着し、庫本体１０の正面開口部１１を密閉する。
【００２１】
図４は、左右の両開閉扉２０ａ，２０ｂを閉鎖した場合の両開閉扉２０ａ，２０ｂ間のシール状態を示すもので、この閉鎖状態においては、両開閉扉２０ａ，２０ｂに設けた第２の各ドアパッキン２３は、ピラーカバー２６の先端部２６ａと支持部材２４のカバー体２４ａとにより、それらの前側および後側を覆蓋されており、ヒータ２５からピラーカバー２６を介して伝達される熱により、凍結および結露を防止されている。
【００２２】
また、両開閉扉２０ａ，２０ｂの第２のドアパッキン２３は、埋設されているマグネット２３ａの吸引力にてその対向面を密着させて、庫本体１０の正面開口部１１からの冷気の漏洩を防止している。なお、下側の左右の両開閉扉２０ｃ，２０ｄの閉鎖状態も同様である。
【００２３】
ところで、当該観音開き式冷蔵庫においては、各開閉扉の閉鎖時には、開閉扉の第１のドアパッキン２２においては、開閉扉の基端側の側縁側ドアパッキン２２ａが先に庫本体１０の正面開口部１１の周縁部に当接し、その後、上端側ドアパッキン２２ａおよび下端側ドアパッキン２２ｂがその基端部側から庫本体１０の正面開口部１１の周縁部に漸次当接して、開閉扉の閉鎖完了時には全てのドアパッキン２２ａ，２２ｂ，２２ｃが庫本体１０の正面開口部１１の周縁部に密着する。
【００２４】
この場合、側縁側ドアパッキン２２ａの磁力は上端側ドアパッキン２２ｂおよび下端側ドアパッキン２２ｃの磁力に比較して相対的に弱く設定されているため、側縁側ドアパッキン２２ａは、上端側ドアパッキン２２ｂおよび下端側ドアパッキン２２ｃが庫本体１０の正面開口部１１の周縁部に当接する際には、弱い吸引力で庫本体１０の正面開口部１１の周縁部に正常な形態を保持して当接して噛み込むようなことがなく、開閉扉の円滑な回動動作を維持する。
【００２５】
また、その後の開閉扉の回動（閉鎖）操作により、上端側ドアパッキン２２ｂおよび下端側ドアパッキン２２ｃがその基端部側から庫本体１０の正面開口部１１の周縁部に漸次当接して密着するが、上端側ドアパッキン２２ｂおよび下端側ドアパッキン２２ｃは、その磁力が側縁側ドアパッキン２２ａの磁力に比較して相対的に強く設定されているため、庫本体１０の正面開口部１１の周縁部に漸次当接し、開閉扉は円滑に閉鎖されて密閉される。
【００２６】
また、当該観音開き式冷蔵庫においては、各開閉扉の互いに対向する先端部側に同先端部に沿って上下方向に延びる第２のドアパッキン２３を設けて、両開閉扉の閉鎖時、第２のドアパッキン２３の対向面を互いに密着させて両開閉扉の先端部間を気密的にシールするように構成している。この場合には、上端側ドアパッキン２２ｂおよび下端側ドアパッキン２２ｃの強い吸引力が第２のドアパッキン２３の当接を助成して密着状態を形成し、両開閉扉の先端部間のシール部の気密性を確実なものとする。
【００２７】
なお、以上の構成は観音開き式の冷凍庫に関するものであるが、本発明はこのような冷蔵庫に限らず、冷凍庫、温蔵庫等、各種の観音開き式貯蔵庫に対しても同様に適用することができる。
【図面の簡単な説明】
【図１】本発明に係る観音開き式冷蔵庫の一例を示す正面図である。
【図２】同冷蔵庫における図１の矢印２−２線方向の縦断面図である。
【図３】同冷蔵庫を構成する開閉扉の背面図である。
【図４】同冷蔵庫を構成する上側の左右両開閉扉の閉鎖状態を示す部分横断面図である。
【符号の説明】
１０…庫本体、１１…正面開口部、２０ａ，２０ｂ，２０ｃ，２０ｄ…開閉扉、２１…扉本体、２２…第１のドアパッキン、２２ａ…側縁側ドアパッキン、２２ｂ…上端側ドアパッキン、２２ｃ…下端側ドアパッキン、２３…第２のドアパッキン、２４…支持部材、２４ａ…カバー体、２５…ヒータ、２６…ピラーカバー、２６ａ…先端部。
【図１】
0003868618.tif 000002
【図２】
0003868618.tif 000003
【図３】
0003868618.tif 000004
【図４】
0003868618.tif 000005